(57)【要約】【課題】  ピックアップの出力レベルがばらつく場合であっても、容易にしかも確実にディスク判定を行うことができるディスク判定方法およびそれを用いたディスク再生装置を提供する。【解決手段】  光源２と受光手段３とを備えたピックアップ４と、ピックアップ４より出力されるピックアップ出力レベルと所定のディスク判別閾値とを比較する比較手段１５と、比較手段１５の結果によってディスクの種類を判別する判別手段１６とを備えた高反射のディスク及び低反射のディスクを再生可能なディスク再生装置１００において、比較手段１５はピックアップ出力レベルを所定のピックアップ出力範囲と比較するものとし、比較手段１５による結果に応じて所定のディスク判別閾値を変更するディスク判別閾値変更機能を有するシステムコントロールマイコン１８を備えるものとする。【選択図】  図１
2005092959.tif 000002
【特許請求の範囲】
【請求項１】
ビームをディスクに照射する光源と該ビームの戻り光を受光する受光手段とを備えたピックアップと、受光手段の受光量に対応してピックアップより出力されるピックアップ出力レベルとディスクを判別するための所定のディスク判別閾値とを比較する比較手段と、前記比較手段の結果によって載置されたディスクの種類を判別する判別手段とを備えた高反射のディスク及び低反射のディスクを再生可能なディスク再生装置におけるディスク判定方法であって、
前記ピックアップ出力レベルを所定のピックアップ出力範囲あるいはピックアップ出力判別閾値と比較し、その結果により所定のディスク判別閾値を変更する行程を備えたことを特徴とするディスク判別方法。
【請求項２】
前記ピックアップ出力レベルが所定のピックアップ出力範囲からどれだけ離れているかを算出し、その結果を所定のディスク判別閾値へ反映する行程を備えたことを特徴とする請求項１に記載のディスク判別方法。
【請求項３】
前記ピックアップ出力レベルが所定のピックアップ出力範囲に対してどのように外れているかを判断し、その結果をあらかじめ設定された値を加減算することによって所定のディスク判別閾値へ反映する行程を備えたことを特徴とする請求項１に記載のディスク判別方法。
【請求項４】
前記ピックアップ出力レベルがピックアップ出力判別閾値と比較して大きいか小さいかを判断し、その結果をあらかじめ設定された値を加減算することによって所定のディスク判別閾値へ反映する行程を備えたことを特徴とする請求項１に記載のディスク判別方法。
【請求項５】
前記ピックアップ出力レベルがピックアップ出力判別閾値からどれだけ離れているかを算出し、その結果を所定のディスク判別閾値へ反映する行程を備えたことを特徴とする請求項１に記載のディスク判別方法。
【請求項６】
反射率の異なるディスクの種類が２以上のＮ種類の場合に、ピックアップ出力レベルが所定のピックアップ出力範囲からどれだけ離れているかを算出し、その結果を（Ｎ−１）個の所定のディスク判別閾値へ反映する行程を備えたことを特徴とする請求項１に記載のディスク判別方法。
【請求項７】
反射率の異なるディスクの種類が２以上のＮ種類の場合に、ピックアップ出力レベルが所定のピックアップ出力範囲に対してどのように外れているかを判断し、その結果をあらかじめ設定された値を加減算することによって（Ｎ−１）個の所定のディスク判別閾値へ反映する行程を備えたことを特徴とする請求項１に記載のディスク判別方法。
【請求項８】
反射率の異なるディスクの種類が２以上のＮ種類の場合に、ピックアップ出力レベルがピックアップ出力判別閾値と比較して大きいか小さいかを判断し、その結果をあらかじめ設定された値を加減算することによって（Ｎ−１）個の所定のディスク判別閾値へ反映する行程を備えたことを特徴とする請求項１に記載のディスク判別方法。
【請求項９】
反射率の異なるディスクの種類が２以上のＮ種類の場合に、ピックアップ出力レベルがピックアップ出力判別閾値からどれだけ離れているかを算出し、その結果を（Ｎ−１）個の所定のディスク判別閾値へ反映する行程を備えたことを特徴とする請求項１に記載のディスク判別方法。
【請求項１０】
前記ピックアップ出力レベルを測定する際に、１回測定した結果をそのピックアップ出力レベルとして適用する行程を備えたことを特徴とする請求項１に記載のディスク判別方法。
【請求項１１】
前記ピックアップ出力レベルを測定する際に、複数回測定する場合、１回ごとの測定結果を内蔵メモリに格納し、複数回の測定結果の平均をとり、その結果をそのピックアップ出力レベルとして適用する行程を備えたことを特徴とする請求項１に記載のディスク判別方法。
【請求項１２】
前記ピックアップ出力レベルを測定する際に、複数回測定する場合、１回ごとの測定結果を内蔵メモリに格納し、複数回の測定結果のうち最大値と最小値を除いたその他の値で平均をとり、その結果をそのピックアップ出力レベルとして適用する行程を備えたことを特徴とする請求項１に記載のディスク判別方法。
【請求項１３】
ビームをディスクに照射する光源と該ビームの戻り光を受光する受光手段とを備えたピックアップと、受光手段の受光量に対応してピックアップより出力されるピックアップ出力レベルと所定のディスク判別閾値とを比較する比較手段と、前記比較手段の結果によって載置されたディスクの種類を判別する判別手段とを備えた高反射のディスク及び低反射のディスクを再生可能なディスク再生装置において、
前記比較手段は、ピックアップ出力レベルを所定のピックアップ出力範囲あるいはピックアップ出力判別閾値と比較するものとし、
前記比較手段による結果に応じて所定のディスク判別閾値を変更するディスク判別閾値変更手段を備えたことを特徴とするディスク再生装置。
【請求項１４】
前記比較手段は、ピックアップ出力レベルが所定のピックアップ出力範囲からどれだけ離れているかを算出し、
前記ディスク判別閾値変更手段は、比較手段により算出された結果に応じて所定のディスク判別閾値を変更するようにしたことを特徴とする請求項１３に記載のディスク再生装置。
【請求項１５】
前記比較手段は、ピックアップ出力レベルが所定のピックアップ出力範囲からどのように外れているかを判断し、
前記ディスク判別閾値変更手段は、前記比較手段による結果に応じてあらかじめ設定された値を加減算することによって所定のディスク判別閾値を変更するようにしたことを特徴とする請求項１３に記載のディスク再生装置。
【請求項１６】
前記比較手段は、ピックアップ出力レベルがピックアップ出力判別閾値と比較して大きいか小さいかを判断し、
前記ディスク判別閾値変更手段は、前記比較手段による結果に応じてあらかじめ設定された値を加減算することによって所定のディスク判別閾値を変更するようにしたことを特徴とする請求項１３に記載のディスク再生装置。
【請求項１７】
前記比較手段は、ピックアップ出力レベルがピックアップ出力判別閾値からどれだけ離れているかを算出し、
前記ディスク判別閾値変更手段は、比較手段により算出された結果に応じて所定のディスク判別閾値を変更するようにしたことを特徴とする請求項１３に記載のディスク再生装置。
【請求項１８】
前記比較手段は、反射率の異なるディスクの種類が２以上のＮ種類の場合に、ピックアップ出力レベルが所定のピックアップ出力範囲からどれだけ離れているかを算出し、
前記ディスク判別閾値変更手段は、比較手段により算出された結果に応じて（Ｎ−１）個の所定のディスク判別閾値を変更するようにしたことを特徴とする請求項１３に記載のディスク再生装置。
【請求項１９】
前記比較手段は、反射率の異なるディスクの種類が２以上のＮ種類の場合に、ピックアップ出力レベルが所定のピックアップ出力範囲からどのように外れているかを判断し、
前記ディスク判別閾値変更手段は、比較手段による結果に応じてあらかじめ設定された値を加減算することによって（Ｎ−１）個の所定のディスク判別閾値を変更するようにしたことを特徴とする請求項１３に記載のディスク再生装置。
【請求項２０】
前記比較手段は、反射率の異なるディスクの種類が２以上のＮ種類の場合に、ピックアップ出力レベルがピックアップ出力判別閾値と比較して大きいか小さいかを判断し、
前記ディスク判別閾値変更手段は、比較手段による結果に応じてあらかじめ設定された値を加減算することによって（Ｎ−１）個の所定のディスク判別閾値を変更するようにしたことを特徴とする請求項１３に記載のディスク再生装置。
【請求項２１】
前記比較手段は、反射率の異なるディスクの種類が２以上のＮ種類の場合に、ピックアップ出力レベルがピックアップ出力判別閾値からどれだけ離れているかを算出し、
前記ディスク判別閾値変更手段は、比較手段により算出された結果に応じて（Ｎ−１）個の所定のディスク判別閾値を変更するようにしたことを特徴とする請求項１３に記載のディスク再生装置。
【請求項２２】
前記ディスク判別閾値変更手段は、前記ピックアップ出力レベルを測定する際に、１回測定した結果をそのピックアップ出力レベルとして適用するようにしたことを特徴とする請求項１３に記載のディスク再生装置。
【請求項２３】
前記ディスク判別閾値変更手段は、前記ピックアップ出力レベルを測定する際に、複数回測定する場合、１回ごとの測定結果を内蔵メモリに格納し、複数回の測定結果の平均をとり、その結果をそのピックアップ出力レベルとして適用するようにしたことを特徴とする請求項１３に記載のディスク再生装置。
【請求項２４】
前記ディスク判別閾値変更手段は、前記ピックアップ出力レベルを測定する際に、複数回測定する場合、１回ごとの測定結果を内蔵メモリに格納し、複数回の測定結果のうち最大値と最小値を除いたその他の値で平均をとり、その結果をそのピックアップ出力レベルとして適用するようにしたことを特徴とする請求項１３に記載のディスク再生装置。
【発明の詳細な説明】
【技術分野】
【０００１】
本発明は、ディスク判定方法およびそれを用いたディスク再生装置に関し、特に、光学式ピックアップを有し、反射率の異なる数種類のディスクが存在し、その数種類のディスクをディスク判別閾値によって判別するディスク判定方法およびそれを用いたディスク再生装置に関するものである。
【背景技術】
【０００２】
近年、光学式ピックアップを用いたディスク再生装置において、例えばＣＤ−Ｒ、ＣＤ−ＲＷ等の複数種類の記録媒体を再生可能としたディスク再生装置が提供されている。
【０００３】
一般に、ＣＤ（コンパクトディスク）は、光ディスクの信号記録層構造の違いにより、入射光に対する反射光の比率、すなわち反射率が異なっている。そのため、光ディスクの種類によってピックアップから得られる反射光の信号レベルに違いが生じる。この信号レベルの違いを利用して、ＣＤ−Ｒ、ＣＤ−ＲＷ等の光ディスクの種類の判別を行うことが可能である。
【０００４】
しかしながら、従来のピックアップから得られる反射光の信号レベルによりディスクを判別する方式では、ディスクを判別するための閾値が固定されていると、ピックアップの出力レベルが大きくばらついた場合にはディスクの判別を誤る危険性があった。
【０００５】
そこで、ディスク再生装置に、フォーカスサーチ時に得られるフォーカスエラー信号やサブビーム加算信号に基づいて光ディスクの種類を判断するディスク信号判別手段と、光ディスクに記録されている情報に応じて光ディスクを判断するディスク情報判別手段とを備えて、前記ディスク信号判別手段による光ディスクの種類判別結果と前記ディスク情報判別手段による光ディスクの種類判別手段とに基づいて光ディスクの種類判別を行うようにしたものであって、前記ディスク情報判別手段により判別された光ディスクのディスク信号判別手段により得られた信号レベルを、該ディスク信号判別手段に使用する光ディスクの種類判別のための閾値とするものが提案されている（特許文献１を参照）。
【０００６】
上述したディスク再生装置によれば、光ディスクの種類判別のための閾値により精度よく短時間でディスクの判定を行うことができる。
【特許文献１】特開２００１−３０７４１６号公報（第２−１１頁、第６図）
【発明の開示】
【発明が解決しようとする課題】
【０００７】
しかしながら、上述した方式では、ディスク情報判別手段によりディスクの判別に基づきディスク信号判別手段の閾値を決定するために、制御が煩雑になるという問題点があった。
【０００８】
本発明は、上記従来の問題点に鑑みてなされたものであり、ディスクに照射されたビームの戻り光によるピックアップの出力レベルがばらつく場合であっても、容易にしかも確実にディスク判定を行うことができるディスク判定方法およびそれを用いたディスク再生装置を提供することを目的とするものである。
【課題を解決するための手段】
【０００９】
本発明は、ディスク判定方法に係り、ビームをディスクに照射する光源と該ビームの戻り光を受光する受光手段とを備えたピックアップと、受光手段の受光量に対応してピックアップより出力されるピックアップ出力レベルとディスクを判別するための所定のディスク判別閾値とを比較する比較手段と、前記比較手段の結果によって載置されたディスクの種類を判別する判別手段とを備えた高反射のディスク及び低反射のディスクを再生可能なディスク再生装置におけるディスク判定方法であって、前記ピックアップ出力レベルを所定のピックアップ出力範囲あるいはピックアップ出力判別閾値と比較し、その結果により所定のディスク判別閾値を変更する行程を備えたことを特徴とするものである。
【００１０】
このように構成することで、比較手段によってピックアップの出力をあらかじめ設定された所定のピックアップ出力範囲あるいはピックアップ出力判別閾値と比較することで該ピックアップの出力レベルを判断し、その結果をディスク判別閾値に反映させて、ピックアップ出力レベルに応じたディスク判別閾値を設定することにより正確にディスク判定を行うことができるので、ディスク判別を誤る危険性を無くすことができる。
【００１１】
すなわち、本発明は、ピックアップの出力レベルのばらつきが非常に大きい場合に特に有効である。また、これによりピックアップ生産上の歩留まり向上も期待できる。
【００１２】
また、前記ピックアップ出力レベルが所定のピックアップ出力範囲からどれだけ離れているかを算出し、その結果を所定のディスク判別閾値へ反映する行程を備えることが好ましい。
【００１３】
このように構成することで、例えば、ピックアップ出力が出力所定範囲より大きい場合は、算出結果によりディスク判別閾値を高く自動設定し、ピックアップ出力レベルが出力所定範囲より小さい場合は、算出結果によりディスク判別閾値を低く自動設定することにより、ピックアップ出力がばらついてもディスク判別を誤る危険性は無くなる。
【００１４】
さらに、前記ピックアップ出力レベルが所定のピックアップ出力範囲に対してどのように外れているかを判断し、その結果をあらかじめ設定された値を加減算することによって所定のディスク判別閾値へ反映する行程を備えることが好ましい。
【００１５】
このように構成することで、例えば、ピックアップ出力レベルが所定のピックアップ出力範囲より大きい場合は、あらかじめ設定された値の分だけディスク判別閾値を高く自動設定し、ピックアップ出力レベルが所定のピックアップ出力範囲より小さい場合は、あらかじめ設定された値の分だけディスク判別閾値を低く自動設定することにより、ピックアップ出力がばらついてもディスク判別を誤る危険性は無くなる。
【００１６】
また、前記ピックアップ出力レベルがピックアップ出力判別閾値と比較して大きいか小さいかを判断し、その結果をあらかじめ設定された値を加減算することによって所定のディスク判別閾値へ反映する行程を備えることが好ましい。
【００１７】
このように構成することで、例えば、ピックアップ出力レベルがピックアップ出力判別閾値より大きい場合は、あらかじめ設定された値の分だけディスク判別閾値を高く自動設定し、ピックアップ出力レベルがピックアップ出力判別閾値より小さい場合は、あらかじめ設定された値の分だけディスク判別閾値を低く自動設定することにより、ピックアップ出力がばらついてもディスク判別を誤る危険性は無くなる。
【００１８】
さらに、前記ピックアップ出力レベルがピックアップ出力判別閾値からどれだけ離れているかを算出し、その結果を所定のディスク判別閾値へ反映する行程を備えることが好ましい。
【００１９】
このように構成することで、例えば、ピックアップ出力レベルがピックアップ出力判別閾値より大きい場合は、算出結果によりディスク判別閾値を高く自動設定し、ピックアップ出力レベルがピックアップ出力判別閾値より小さい場合は、算出結果によりディスク判別閾値を低く自動設定することにより、ピックアップ出力がばらついてもディスク判別を誤る危険性は無くなる。
【００２０】
また、反射率の異なるディスクの種類が２以上のＮ種類の場合に、ピックアップ出力レベルが所定のピックアップ出力範囲からどれだけ離れているかを算出し、その結果を（Ｎ−１）個の所定のディスク判別閾値へ反映する行程を備えることが好ましい。
【００２１】
このように構成することで、例えば、ピックアップ出力レベルが出力所定範囲より大きい場合は、算出結果により（Ｎ−１）個のディスク判別閾値をそれぞれ高く自動設定し、ピックアップ出力レベルが出力所定範囲より小さい場合は、算出結果により（Ｎ−１）個のディスク判別閾値を低く自動設定することにより、ピックアップ出力がばらついてもディスク判別を誤る危険性は無くなる。
【００２２】
さらに、反射率の異なるディスクの種類が２以上のＮ種類の場合に、ピックアップ出力レベルが所定のピックアップ出力範囲に対してどのように外れているかを判断し、その結果をあらかじめ設定された値を加減算することによって（Ｎ−１）個の所定のディスク判別閾値へ反映する行程を備えることが好ましい。
【００２３】
このように構成することで、例えば、ピックアップ出力レベルが所定のピックアップ出力範囲より大きい場合は、あらかじめ設定された値の分だけ（Ｎ−１）個のディスク判別閾値を高く自動設定し、ピックアップ出力レベルが所定のピックアップ出力範囲より小さい場合は、あらかじめ設定された値の分だけ（Ｎ−１）個のディスク判別閾値を低く自動設定することにより、ピックアップ出力がばらついてもディスク判別を誤る危険性は無くなる。
【００２４】
さらに、また、反射率の異なるディスクの種類が２以上のＮ種類の場合に、ピックアップ出力レベルがピックアップ出力判別閾値と比較して大きいか小さいかを判断し、その結果をあらかじめ設定された値を加減算することによって（Ｎ−１）個の所定のディスク判別閾値へ反映する行程を備えることが好ましい。
【００２５】
このように構成することで、例えば、ピックアップ出力レベルがピックアップ出力判別閾値より大きい場合は、あらかじめ設定された値の分だけ（Ｎ−１）個のディスク判別閾値を高く自動設定し、ピックアップ出力レベルがピックアップ出力判別閾値より小さい場合は、あらかじめ設定された値の分だけ（Ｎ−１）個のディスク判別閾値を低く自動設定することにより、ピックアップ出力がばらついてもディスク判別を誤る危険性は無くなる。
【００２６】
また、反射率の異なるディスクの種類が２以上のＮ種類の場合に、ピックアップ出力レベルがピックアップ出力判別閾値からどれだけ離れているかを算出し、その結果を（Ｎ−１）個の所定のディスク判別閾値へ反映する行程を備えることが好ましい。
【００２７】
このように構成することで、例えば、ピックアップ出力レベルがピックアップ出力判別閾値より大きい場合は、算出結果により（Ｎ−１）個のディスク判別閾値を高く自動設定し、ピックアップ出力レベルがピックアップ出力判別閾値より小さい場合は、算出結果により（Ｎ−１）個のディスク判別閾値を低く自動設定することにより、ピックアップ出力がばらついてもディスク判別を誤る危険性は無くなる。
【００２８】
さらに、前記ピックアップ出力レベルを測定する際に、１回測定した結果をそのピックアップ出力レベルとして適用する行程を備えることが好ましい。
【００２９】
このように構成することで、所要時間が短くて済むので生産上の時間に対するロスが少なく、かつディスク判別を誤る危険性がない。
【００３０】
また、前記ピックアップ出力レベルを測定する際に、複数回測定する場合、１回ごとの測定結果を内蔵メモリに格納し、複数回の測定結果の平均をとり、その結果をそのピックアップ出力レベルとして適用する行程を備えることが好ましい。
【００３１】
このように構成することで、複数回ピックアップ出力レベルを測定して平均をとるのでピックアップ出力レベル測定結果がより正確なものになり、ディスク判別を誤る危険性が少なくなる。
【００３２】
さらに、前記ピックアップ出力レベルを測定する際に、複数回測定する場合、１回ごとの測定結果を内蔵メモリに格納し、複数回の測定結果のうち最大値と最小値を除いたその他の値で平均をとり、その結果をそのピックアップ出力レベルとして適用する行程を備えることが好ましい。
【００３３】
このように構成することで、例えば、突発的なノイズ等のようなものにより測定結果の影響を避けるため、極端に低いデータや極端に高いデータとなった場合に、そのデータは参照しないようにするために最大値と最小値を除いたその他のデータで平均をとり、ピックアップ出力の測定結果がさらに正確なものになり、ディスク判別を誤る危険性はさらに少なくなる。
【００３４】
また、本発明は、ディスク再生装置に係り、ビームをディスクに照射する光源と該ビームの戻り光を受光する受光手段とを備えたピックアップと、受光手段の受光量に対応してピックアップより出力されるピックアップ出力レベルと所定のディスク判別閾値とを比較する比較手段と、前記比較手段の結果によって載置されたディスクの種類を判別する判別手段とを備えた高反射のディスク及び低反射のディスクを再生可能なディスク再生装置において、前記比較手段は、ピックアップ出力レベルを所定のピックアップ出力範囲あるいはピックアップ出力判別閾値と比較するものとし、前記比較手段による結果に応じて所定のディスク判別閾値を変更するディスク判別閾値変更手段を備えたことを特徴とするものである。
【００３５】
このように構成することで、比較手段によってピックアップの出力をあらかじめ設定された所定のピックアップ出力範囲あるいはピックアップ出力判別閾値と比較することでピックアップの出力レベルを判断し、その結果をディスク判別閾値に反映させて、ピックアップ出力レベルに応じたディスク判別閾値を設定することにより正確にディスク判定を行うことができるので、ディスク判別を誤る危険性を無くすことができる。
【００３６】
すなわち、本発明は、ピックアップの出力レベルのばらつきが非常に大きい場合に特に有効である。また、これによりピックアップ生産上の歩留まり向上も期待できる。
【００３７】
また、前記比較手段は、ピックアップ出力レベルが所定のピックアップ出力範囲からどれだけ離れているかを算出し、前記ディスク判別閾値変更手段は、比較手段により算出された結果に応じて所定のディスク判別閾値を変更するようにすることが好ましい。
【００３８】
このように構成することで、例えば、ピックアップ出力レベルが出力所定範囲より大きい場合は、算出結果によりディスク判別閾値を高く自動設定し、ピックアップ出力が出力所定範囲より小さい場合は、算出結果によりディスク判別閾値を低く自動設定することにより、ピックアップ出力がばらついてもディスク判別を誤る危険性は無くなる。
【００３９】
さらに、前記比較手段は、ピックアップ出力レベルが所定のピックアップ出力範囲からどのように外れているかを判断し、前記ディスク判別閾値変更手段は、前記比較手段による結果に応じてあらかじめ設定された値を加減算することによって所定のディスク判別閾値を変更するようにすることが好ましい。
【００４０】
このように構成することで、例えば、ピックアップ出力レベルが所定のピックアップ出力範囲より大きい場合は、あらかじめ設定された値の分だけディスク判別閾値を高く自動設定し、ピックアップ出力レベルが所定のピックアップ出力範囲より小さい場合は、あらかじめ設定された値の分だけディスク判別閾値を低く自動設定することにより、ピックアップ出力がばらついてもディスク判別を誤る危険性は無くなる。
【００４１】
また、前記比較手段は、ピックアップ出力レベルがピックアップ出力判別閾値と比較して大きいか小さいかを判断し、前記ディスク判別閾値変更手段は、前記比較手段による結果に応じてあらかじめ設定された値を加減算することによって所定のディスク判別閾値を変更するようにすることが好ましい。
【００４２】
このように構成することで、ピックアップ出力レベルがピックアップ出力判別閾値より大きい場合は、あらかじめ設定された値の分だけディスク判別閾値を高く自動設定し、ピックアップ出力レベルがピックアップ出力判別閾値より小さい場合は、あらかじめ設定された値の分だけディスク判別閾値を低く自動設定することにより、ピックアップ出力がばらついてディスク判別を誤る危険性はなくなるという効果を奏する。
【００４３】
さらに、前記比較手段は、ピックアップ出力レベルがピックアップ出力判別閾値からどれだけ離れているかを算出し、前記ディスク判別閾値変更手段は、比較手段により算出された結果に応じて所定のディスク判別閾値を変更するようにすることが好ましい。
【００４４】
このように構成することで、ピックアップ出力レベルがピックアップ出力判別閾値より大きい場合は、算出結果によりディスク判別閾値を高く自動設定し、ピックアップ出力レベルがピックアップ出力判別閾値より小さい場合は、算出結果によりディスク判別閾値を低く自動設定することにより、ピックアップ出力がばらついてディスク判別を誤る危険性はなくなるという効果を奏する。
【００４５】
また、前記比較手段は、反射率の異なるディスクの種類が２以上のＮ種類の場合に、ピックアップ出力レベルが所定のピックアップ出力範囲からどれだけ離れているかを算出し、前記ディスク判別閾値変更手段は、比較手段により算出された結果に応じて（Ｎ−１）個の所定のディスク判別閾値を変更するようにすることが好ましい。
【００４６】
このように構成することで、ピックアップ出力レベルが出力所定範囲より大きい場合は、算出結果により（Ｎ−１）個のディスク判別閾値をそれぞれ高く自動設定し、ピックアップ出力レベルが出力所定範囲より小さい場合は、算出結果により（Ｎ−１）個のディスク判別閾値を低く自動設定することにより、ピックアップ出力がばらついてディスク判別を誤る危険性はなくなるという効果を奏する。
【００４７】
さらに、前記比較手段は、反射率の異なるディスクの種類が２以上のＮ種類の場合に、ピックアップ出力レベルが所定のピックアップ出力範囲からどのように外れているかを判断し、前記ディスク判別閾値変更手段は、比較手段による結果に応じてあらかじめ設定された値を加減算することによって（Ｎ−１）個の所定のディスク判別閾値を変更するようにすることが好ましい。
【００４８】
このように構成することで、ピックアップ出力レベルが所定のピックアップ出力範囲より大きい場合は、あらかじめ設定された値の分だけ（Ｎ−１）個のディスク判別閾値を高く自動設定し、ピックアップ出力レベルが所定のピックアップ出力範囲より小さい場合は、あらかじめ設定された値の分だけ（Ｎ−１）個のディスク判別閾値を低く自動設定することにより、ピックアップ出力がばらついてディスク判別を誤る危険性はなくなるという効果を奏する。
【００４９】
さらに、また、前記比較手段は、反射率の異なるディスクの種類が２以上のＮ種類の場合に、ピックアップ出力レベルがピックアップ出力判別閾値と比較して大きいか小さいかを判断し、前記ディスク判別閾値変更手段は、比較手段による結果に応じてあらかじめ設定された値を加減算することによって（Ｎ−１）個の所定のディスク判別閾値を変更するようにすることが好ましい。
【００５０】
このように構成することで、ピックアップ出力レベルがピックアップ出力判別閾値より大きい場合は、あらかじめ設定された値の分だけ（Ｎ−１）個のディスク判別閾値を高く自動設定し、ピックアップ出力レベルがピックアップ出力判別閾値より小さい場合は、あらかじめ設定された値の分だけ（Ｎ−１）個のディスク判別閾値を低く自動設定することによりピックアップ出力がばらついてディスク判別を誤る危険性はなくなるという効果を奏する。
【００５１】
また、前記比較手段は、反射率の異なるディスクの種類が２以上のＮ種類の場合に、ピックアップ出力レベルがピックアップ出力判別閾値からどれだけ離れているかを算出し、前記ディスク判別閾値変更手段は、比較手段により算出された結果に応じて（Ｎ−１）個の所定のディスク判別閾値を変更するようにすることが好ましい。
【００５２】
このように構成することで、ピックアップ出力レベルがピックアップ出力判別閾値より大きい場合は、算出結果により（Ｎ−１）個のディスク判別閾値を高く自動設定し、ピックアップ出力レベルがピックアップ出力判別閾値より小さい場合は、算出結果により（Ｎ−１）個のディスク判別閾値を低く自動設定することにより、ピックアップ出力がばらついてディスク判別を誤る危険性はなくなるという効果を奏する。
【００５３】
さらに、前記ディスク判別閾値変更手段は、前記ピックアップ出力レベルを測定する際に、１回測定した結果をそのピックアップ出力レベルとして適用するようにすることが好ましい。
【００５４】
このように構成することで、所要時間が短くて済むので生産上の時間に対するロスが少なく、かつディスク判別を誤る危険性がない。
【００５５】
また、前記ディスク判別閾値変更手段は、前記ピックアップ出力レベルを測定する際に、複数回測定する場合、１回ごとの測定結果を内蔵メモリに格納し、複数回の測定結果の平均をとり、その結果をそのピックアップ出力レベルとして適用するようにすることが好ましい。
【００５６】
このように構成することで、複数回ピックアップ出力レベルを測定して平均をとるのでピックアップ出力レベル測定結果がより正確なものになり、ディスク判別を誤る危険性が少なくなる。
【００５７】
さらに、前記ディスク判別閾値変更手段は、前記ピックアップ出力レベルを測定する際に、複数回測定する場合、１回ごとの測定結果を内蔵メモリに格納し、複数回の測定結果のうち最大値と最小値を除いたその他の値で平均をとり、その結果をそのピックアップ出力レベルとして適用するようにすることが好ましい。
【００５８】
このように構成することで、突発的なノイズ等のようなものにより測定結果の影響を避けるため、極端に低いデータや極端に高いデータとなった場合に、そのデータは参照しないようにするために最大値と最小値を除いたその他のデータで平均をとり、ピックアップ測定結果がさらに正確なものになり、ディスク判別を誤る危険性はさらに少なくなる。
【発明の効果】
【００５９】
以上、説明したように本発明のディスク判定方法によれば、ディスクに照射されたビームの戻り光によるピックアップの出力レベルがばらつく場合であっても、容易にしかも確実にディスク判定を行うことができるという優れた効果を奏し得る。
【００６０】
詳しくは、本発明は、ピックアップより出力されるピックアップ出力レベルを比較手段によってピックアップの出力をあらかじめ設定された所定のピックアップ出力範囲あるいはピックアップ出力判別閾値と比較することで該ピックアップの出力レベルを判断し、その結果により所定のディスク判別閾値を変更するようにすることで、例えば、ピックアップ出力レベルが大きい場合はディスク判別閾値を高く、ピックアップ出力レベルが小さい場合はディスク判別閾値を低く自動設定することにより、ピックアップ出力がばらついてディスク判別を誤る危険性はなくなるという優れた効果を奏する。
【００６１】
また、本発明は、前記ピックアップ出力レベルが所定のピックアップ出力範囲からどれだけ離れているかを算出し、その結果を所定のディスク判別閾値へ反映するようにすることで、例えば、ピックアップ出力レベルが所定のピックアップ出力範囲より大きい場合は、算出結果によりディスク判別閾値を高く自動設定し、ピックアップ出力レベルが所定のピックアップ出力範囲より小さい場合は、算出結果によりディスク判別閾値を低く自動設定することにより、ピックアップ出力がばらついてもディスク判別を誤る危険性は無くなる。
【００６２】
さらに、本発明は、前記ピックアップ出力レベルが所定のピックアップ出力範囲に対してどのように外れているかを判断し、その結果をあらかじめ設定された値を加減算することによって所定のディスク判別閾値へ反映するようにすることで、例えば、ピックアップ出力レベルが所定のピックアップ出力範囲より大きい場合は、あらかじめ設定された値の分だけディスク判別閾値を高く自動設定し、ピックアップ出力レベルが所定のピックアップ出力範囲より小さい場合は、あらかじめ設定された値の分だけディスク判別閾値を低く自動設定することにより、ピックアップ出力がばらついてもディスク判別を誤る危険性は無くなる。
【００６３】
また、本発明は、前記ピックアップ出力レベルがピックアップ出力判別閾値と比較して大きいか小さいかを判断し、その結果をあらかじめ設定された値を加減算することによって所定のディスク判別閾値へ反映するようにすることで、例えば、ピックアップ出力レベルがピックアップ出力判別閾値より大きい場合は、あらかじめ設定された値の分だけディスク判別閾値を高く自動設定し、ピックアップ出力レベルがピックアップ出力判別閾値より小さい場合は、あらかじめ設定された値の分だけディスク判別閾値を低く自動設定することにより、ピックアップ出力がばらついてもディスク判別を誤る危険性は無くなる。
【００６４】
さらに、本発明は、前記ピックアップ出力レベルがピックアップ出力判別閾値からどれだけ離れているかを算出し、その結果を所定のディスク判別閾値へ反映するようにすることで、例えば、ピックアップ出力レベルがピックアップ出力判別閾値より大きい場合は、算出結果によりディスク判別閾値を高く自動設定し、ピックアップ出力レベルがピックアップ出力判別閾値より小さい場合は、算出結果によりディスク判別閾値を低く自動設定することにより、ピックアップ出力がばらついてもディスク判別を誤る危険性は無くなる。
【００６５】
また、本発明は、反射率の異なるディスクの種類が２以上のＮ種類の場合に、ピックアップ出力レベルが所定のピックアップ出力範囲からどれだけ離れているかを算出し、その結果を（Ｎ−１）個の所定のディスク判別閾値へ反映するようにすることで、例えば、ピックアップ出力レベルが出力所定範囲より大きい場合は、算出結果により（Ｎ−１）個のディスク判別閾値をそれぞれ高く自動設定し、ピックアップ出力レベルが出力所定範囲より小さい場合は、算出結果により（Ｎ−１）個のディスク判別閾値を低く自動設定することにより、ピックアップ出力がばらついてもディスク判別を誤る危険性は無くなる。
【００６６】
さらに、本発明は、反射率の異なるディスクの種類が２以上のＮ種類の場合に、ピックアップ出力レベルが所定のピックアップ出力範囲に対してどのように外れているかを判断し、その結果をあらかじめ設定された値を加減算することによって（Ｎ−１）個の所定のディスク判別閾値へ反映するようにすることで、例えば、ピックアップ出力レベルが所定のピックアップ出力範囲より大きい場合は、あらかじめ設定された値の分だけ（Ｎ−１）個のディスク判別閾値を高く自動設定し、ピックアップ出力レベルが所定のピックアップ出力範囲より小さい場合は、あらかじめ設定された値の分だけ（Ｎ−１）個のディスク判別閾値を低く自動設定することにより、ピックアップ出力がばらついてもディスク判別を誤る危険性は無くなる。
【００６７】
さらに、また、本発明は、反射率の異なるディスクの種類が２以上のＮ種類の場合に、ピックアップ出力レベルがピックアップ出力判別閾値と比較して大きいか小さいかを判断し、その結果をあらかじめ設定された値を加減算することによって（Ｎ−１）個の所定のディスク判別閾値へ反映するようにすることで、例えば、ピックアップ出力レベルがピックアップ出力判別閾値より大きい場合は、あらかじめ設定された値の分だけ（Ｎ−１）個のディスク判別閾値を高く自動設定し、ピックアップ出力レベルがピックアップ出力判別閾値より小さい場合は、あらかじめ設定された値の分だけ（Ｎ−１）個のディスク判別閾値を低く自動設定することにより、ピックアップ出力がばらついてもディスク判別を誤る危険性は無くなる。
【００６８】
また、本発明は、反射率の異なるディスクの種類が２以上のＮ種類の場合に、ピックアップ出力レベルがピックアップ出力判別閾値からどれだけ離れているかを算出し、その結果を（Ｎ−１）個の所定のディスク判別閾値へ反映するようにすることで、例えば、ピックアップ出力レベルがピックアップ出力判別閾値より大きい場合は、算出結果により（Ｎ−１）個のディスク判別閾値を高く自動設定し、ピックアップ出力レベルがピックアップ出力判別閾値より小さい場合は、算出結果により（Ｎ−１）個のディスク判別閾値を低く自動設定することにより、ピックアップ出力がばらついてもディスク判別を誤る危険性は無くなる。
【００６９】
さらに、本発明は、前記ピックアップ出力レベルを測定する際に、１回測定した結果をそのピックアップ出力レベルとして適用するようにすることで、所要時間が短くて済むので生産上の時間に対するロスが少なく、かつディスク判別を誤る危険性がない。
【００７０】
また、本発明は、前記ピックアップ出力レベルを測定する際に、複数回測定する場合、１回ごとの測定結果を内蔵メモリに格納し、複数回の測定結果の平均をとり、その結果をそのピックアップ出力レベルとして適用するようにすることで、複数回ピックアップ出力レベルを測定して平均をとるのでピックアップ出力レベル測定結果がより正確なものになり、ディスク判別を誤る危険性が少なくなる。
【００７１】
さらに、本発明は、前記ピックアップ出力レベルを測定する際に、複数回測定する場合、１回ごとの測定結果を内蔵メモリに格納し、複数回の測定結果のうち最大値と最小値を除いたその他の値で平均をとり、その結果をそのピックアップ出力レベルとして適用するようにすることで、例えば、突発的なノイズ等のようなものにより測定結果の影響を避けるため、極端に低いデータや極端に高いデータとなった場合に、そのデータは参照しないようにするために最大値と最小値を除いたその他のデータで平均をとり、ピックアップ出力レベルの測定結果がさらに正確なものになり、ディスク判別を誤る危険性はさらに少なくなる。
【００７２】
また、本発明のディスク再生装置によれば、ディスクに照射されたビームの戻り光によるピックアップの出力レベルがばらつく場合であっても、容易にしかも確実にディスク判定を行うことができるという優れた効果を奏し得る。
【００７３】
詳しくは、本発明は、ディスク再生装置に係り、受光手段の受光量に対応してピックアップより出力されるピックアップ出力レベルと所定のディスク判別閾値とを比較する比較手段と、前記比較手段による結果に応じて所定のディスク判別閾値を変更するディスク判別閾値変更手段を備えることで、ピックアップの出力をあらかじめ設定された所定のピックアップ出力範囲あるいはピックアップ出力判別閾値と比較することでピックアップの出力レベルを判断し、その結果をディスク判別閾値に反映させて、ピックアップ出力レベルに応じたディスク判別閾値を設定することにより正確にディスク判定を行うことができるので、ディスク判別を誤る危険性を無くすことができる。
【００７４】
すなわち、本発明は、ピックアップの出力レベルのばらつきが非常に大きい場合に特に有効であり、また、これによりピックアップ生産上の歩留まり向上も期待できる。
【００７５】
また、本発明は、前記比較手段の構成を、ピックアップ出力レベルが所定のピックアップ出力範囲からどれだけ離れているかを算出し、前記ディスク判別閾値変更手段は、比較手段により算出された結果に応じて所定のディスク判別閾値を変更するようにすることで、例えば、ピックアップ出力レベルが出力所定範囲より大きい場合は、算出結果によりディスク判別閾値を高く自動設定し、ピックアップ出力レベルが出力所定範囲より小さい場合は、算出結果によりディスク判別閾値を低く自動設定することにより、ピックアップ出力がばらついてもディスク判別を誤る危険性は無くなる。
【００７６】
さらに、本発明は、前記比較手段の構成を、ピックアップ出力レベルが所定のピックアップ出力範囲からどのように外れているかを判断し、前記ディスク判別閾値変更手段は、前記比較手段による結果に応じてあらかじめ設定された値を加減算することによって所定のディスク判別閾値を変更するようにすることで、例えば、ピックアップ出力レベルが所定のピックアップ出力範囲より大きい場合は、あらかじめ設定された値の分だけディスク判別閾値を高く自動設定し、ピックアップ出力レベルが所定のピックアップ出力範囲より小さい場合は、あらかじめ設定された値の分だけディスク判別閾値を低く自動設定することにより、ピックアップ出力がばらついてもディスク判別を誤る危険性は無くなる。
【００７７】
また、本発明は、前記比較手段の構成を、ピックアップ出力レベルがピックアップ出力判別閾値と比較して大きいか小さいかを判断するものとし、前記ディスク判別閾値変更手段の構成を、前記比較手段による結果に応じてあらかじめ設定された値を加減算することによって所定のディスク判別閾値を変更するようにすることで、ピックアップ出力レベルがピックアップ出力判別閾値より大きい場合は、あらかじめ設定された値の分だけディスク判別閾値を高く自動設定し、ピックアップ出力レベルがピックアップ出力判別閾値より小さい場合は、あらかじめ設定された値の分だけディスク判別閾値を低く自動設定することにより、ピックアップ出力がばらついてディスク判別を誤る危険性はなくなるという効果を奏する。
【００７８】
さらに、本発明は、前記比較手段の構成を、ピックアップ出力レベルがピックアップ出力判別閾値からどれだけ離れているかを算出し、前記ディスク判別閾値変更手段の構成を、比較手段により算出された結果に応じて所定のディスク判別閾値を変更するようにすることで、ピックアップ出力レベルがピックアップ出力判別閾値より大きい場合は、算出結果によりディスク判別閾値を高く自動設定し、ピックアップ出力レベルがピックアップ出力判別閾値より小さい場合は、算出結果によりディスク判別閾値を低く自動設定することにより、ピックアップ出力がばらついてディスク判別を誤る危険性はなくなるという効果を奏する。
【００７９】
また、本発明は、前記比較手段の構成を、反射率の異なるディスクの種類が２以上のＮ種類の場合に、ピックアップ出力レベルが所定のピックアップ出力範囲からどれだけ離れているかを算出し、前記ディスク判別閾値変更手段の構成を、比較手段により算出された結果に応じて（Ｎ−１）個の所定のディスク判別閾値を変更するようにすることで、ピックアップ出力レベルが出力所定範囲より大きい場合は、算出結果により（Ｎ−１）個のディスク判別閾値をそれぞれ高く自動設定し、ピックアップ出力レベルが出力所定範囲より小さい場合は、算出結果により（Ｎ−１）個のディスク判別閾値を低く自動設定することにより、ピックアップ出力がばらついてディスク判別を誤る危険性はなくなるという効果を奏する。
【００８０】
さらに、本発明は、前記比較手段の構成を、反射率の異なるディスクの種類が２以上のＮ種類の場合に、ピックアップ出力レベルが所定のピックアップ出力範囲からどのように外れているかを判断し、前記ディスク判別閾値変更手段の構成を、比較手段による結果に応じてあらかじめ設定された値を加減算することによって（Ｎ−１）個の所定のディスク判別閾値を変更するようにすることで、ピックアップ出力レベルが所定のピックアップ出力範囲より大きい場合は、あらかじめ設定された値の分だけ（Ｎ−１）個のディスク判別閾値を高く自動設定し、ピックアップ出力レベルが所定のピックアップ出力範囲より小さい場合は、あらかじめ設定された値の分だけ（Ｎ−１）個のディスク判別閾値を低く自動設定することにより、ピックアップ出力がばらついてディスク判別を誤る危険性はなくなるという効果を奏する。
【００８１】
さらに、また、本発明は、前記比較手段の構成を、反射率の異なるディスクの種類が２以上のＮ種類の場合に、ピックアップ出力レベルがピックアップ出力判別閾値と比較して大きいか小さいかを判断し、前記ディスク判別閾値変更手段の構成を、比較手段による結果に応じてあらかじめ設定された値を加減算することによって（Ｎ−１）個の所定のディスク判別閾値を変更するようにすることで、ピックアップ出力レベルがピックアップ出力判別閾値より大きい場合は、あらかじめ設定された値の分だけ（Ｎ−１）個のディスク判別閾値を高く自動設定し、ピックアップ出力レベルがピックアップ出力判別閾値より小さい場合は、あらかじめ設定された値の分だけ（Ｎ−１）個のディスク判別閾値を低く自動設定することによりピックアップ出力がばらついてディスク判別を誤る危険性はなくなるという効果を奏する。
【００８２】
また、本発明は、前記比較手段の構成を、反射率の異なるディスクの種類が２以上のＮ種類の場合に、ピックアップ出力レベルがピックアップ出力判別閾値からどれだけ離れているかを算出し、前記ディスク判別閾値変更手段の構成を、比較手段により算出された結果に応じて（Ｎ−１）個の所定のディスク判別閾値を変更するようにすることで、ピックアップ出力レベルがピックアップ出力判別閾値より大きい場合は、算出結果により（Ｎ−１）個のディスク判別閾値を高く自動設定し、ピックアップ出力レベルがピックアップ出力判別閾値より小さい場合は、算出結果により（Ｎ−１）個のディスク判別閾値を低く自動設定することにより、ピックアップ出力がばらついてディスク判別を誤る危険性はなくなるという効果を奏する。
【００８３】
さらに、本発明は、前記ディスク判別閾値変更手段の構成を、前記ピックアップ出力レベルを測定する際に、１回測定した結果をそのピックアップ出力レベルとして適用するようにすることで、所要時間が短くて済むので生産上の時間に対するロスが少なく、かつディスク判別を誤る危険性がない。
【００８４】
また、本発明は、前記ディスク判別閾値変更手段の構成を、前記ピックアップ出力レベルを測定する際に、複数回測定する場合、１回ごとの測定結果を内蔵メモリに格納し、複数回の測定結果の平均をとり、その結果をそのピックアップ出力レベルとして適用するようにすることで、複数回ピックアップ出力レベルを測定して平均をとるのでピックアップ出力レベル測定結果がより正確なものになり、ディスク判別を誤る危険性が少なくなる。
【００８５】
さらに、本発明は、前記ディスク判別閾値変更手段の構成を、前記ピックアップ出力レベルを測定する際に、複数回測定する場合、１回ごとの測定結果を内蔵メモリに格納し、複数回の測定結果のうち最大値と最小値を除いたその他の値で平均をとり、その結果をそのピックアップ出力レベルとして適用するようにすることで、突発的なノイズ等のようなものにより測定結果の影響を避けるため、極端に低いデータや極端に高いデータとなった場合に、そのデータは参照しないようにするために最大値と最小値を除いたその他のデータで平均をとり、ピックアップ測定結果がさらに正確なものになり、ディスク判別を誤る危険性はさらに少なくなる。
【発明を実施するための最良の形態】
【００８６】
以下、本発明の実施の形態について図面を参照して詳細に説明する。
【００８７】
図１は本発明の実施形態に係るディスク再生装置の全体構成を示すブロック図である。
【００８８】
本実施形態に係るディスク判別方法は、例えばミニディスク（ＭＤ）などのディスクに記録されているディジタル情報を再生するディスク再生装置に採用される。
【００８９】
本実施形態に係るディスク再生装置１００は、図１に示すように、ビームをディスクに照射する光源２と、ビームの戻り光を受光する受光手段３と（以下、この２と３を合わせてピックアップ４と述べる）ＲＦアンプ５と、デコーダ回路／信号処理回路／メモリコントローラ（以下、信号処理回路と称する。）１０と、ショックプルーフメモリ６と、Ｄ／Ａコンバータ１１と、スライドモータ８と、スピンドルモータ７と、ドライバ回路１２と、サーボ制御回路９と、受光手段３の受光量に対応する値と所定のディスク判別閾値とを比較する比較手段１５と、その結果によって載置されたディスクがどのディスクであるかを判別する判別手段１６と内蔵メモリ１７と比較手段１５、判別手段１６、内蔵メモリ１７を含むシステムコントロールマイコン１８と、電源回路１３と、入力装置１９と、表示装置１４とを備えている。
【００９０】
ピックアップ４は、ディスク１にレーザ光を照射し、ディスク１からの反射光を取り込む再生ヘッドであり、ディスク１に記録されたＲＦ信号を読み取るようにされている。
【００９１】
ＲＦアンプ５は、ピックアップ４により読み取られたＲＦ信号を増幅して信号処理回路１０に送出するようにされている。また、前記ＲＦアンプ５は、ＲＦ信号からフォーカスエラー信号およびトラッキングエラー信号等のサーボ制御信号を生成し、サーボ制御回路９に送出するようにされている。
【００９２】
信号処理回路１０は、サブコードの処理等を行うためにシステムコントロールマイコン１８と通信可能に設けられると共に、ＲＦアンプ５を経たＲＦ信号を復調してディジタル情報に変換し、そのディジタル情報に誤り訂正等の所定の処理するようにされている。
【００９３】
また、信号処理回路１０は、ディジタル情報をショックプルーフメモリ６に記憶させるように、システムコントロールマイコン１８の指示に従って、ショックプルーフメモリ６の書き込み動作および読み出し動作を制御するようにされている。この信号処理回路１０は、ディジタル情報をショックプルーフメモリ６に転送すると共に、ショックプルーフメモリ６から出力されたディジタル情報をデータ伸長するようにされている。
【００９４】
記憶手段としてのショックプルーフメモリ６は、ディジタル情報を一時的に記憶するようになっており、例えば、１６ＭビットＤＲＡＭ（Ｄｙｎａｍｉｃ  Ｒａｎｄｏｍ  Ａｃｃｅｓｓ  Ｍｅｍｏｒｙ）等の半導体メモリが適当である。このショックプルーフメモリ６は、信号処理回路１０に配されており、振動等の外乱による再生の中断を防止するためにディジタル情報を保護すること目的として設けられている。
【００９５】
スライドモータ８は、ピックアップ４をディスク１の記録トラック（図示せず）に直交する方向へ移動させるためのモータである。スピンドルモータ７は、ディスク１を回転させるためのモータである。
【００９６】
ドライバ回路１２は、スライドモータ８と、スピンドルモータ７と、ピックアップ４の対物レンズ（図示せず）を駆動する図示しない駆動装置とを動作させるために、これらに電力を供給するようにされている。
【００９７】
サーボ制御回路９は、ピックアップ４から出射される光をディスク１の目標の記録トラックに追従させる等の動作が正確に行われるように、ドライバ回路１２により駆動される上記の各装置をフィードバック制御する回路である。このサーボ制御回路９は、システムコントロールマイコン１８の指示に従って、ＲＦアンプ５から出力されたサーボ信号に基づいてフォーカス、トラッキング、シークおよびスピン等の制御量を決定し、その制御量を制御信号としてドライバ回路１２に送出するようにされている。
【００９８】
そして、ピックアップ４、ＲＦアンプ５、サーボ制御回路９等により再生手段が構成されている。
【００９９】
制御手段としてのシステムコントロールマイコン１８は、信号処理回路１０、サーボ制御回路９、電源回路１３、表示装置１４を集中管理し、かつ、ピックアップ出力レベルを判別する判別手段１６と受光手段３の受光量に対応する値と所定のディスク判別閾値とを比較する比較手段１５と所定のディスク判別閾値や所定のピックアップ出力範囲あるいはピックアップ出力判別閾値等を格納している内蔵メモリ１７とを有するマイクロコンピュータである。
【０１００】
なお、所定のディスク判別閾値や所定のピックアップ出力範囲あるいはピックアップ出力判別閾値は、上述したように内蔵メモリ１７に格納しなくても、例えば、外部のＥＥＰＲＯＭ等に格納しておいて電源ＯＮ時にＥＥＰＲＯＭから読みこんで内蔵メモリ１７に格納するようにしたものであってもよい。
【０１０１】
また、システムコントロールマイコン１８は、比較手段１５、判別手段１６および内蔵メモリ１７からの情報によりディスク判別閾値を変更する機能を具備している。すなわち、システムコントロールマイコン１８は、ディスク判別閾値変更手段として機能するように構成されている。
【０１０２】
入力装置１９は、図示しないスイッチおよびキー等で構成されており、例えば、スイッチをＯＮして入力可能とした後、キーボード等による手動入力操作によって、ディスク１に記録されている複数のディジタル情報の再生順序等を処理する動作をシステムコントロールマイコン１８に入力するようにされている。
【０１０３】
そして、システムコントロールマイコン１８は、入力装置１９から入力される処理動作に基づいてディスク１の再生が行われるように上述した各装置・回路を制御すると共に、表示装置１４にいろいろな現在の状態を表示するための表示データ作成と、その作成されたデータを送信している。
【０１０４】
また、前記システムコントロールマイコン１８は、ショックプルーフメモリ６のディジタル情報量が予め設定された上限値以上となったか否か、あるいは、予め設定された下限値以下となったか否かを判断するようにされている。
【０１０５】
電源回路１３は、ピックアップ４、ＲＦアンプ５、信号処理回路１０、ドライバ回路１２、システムコントロールマイコン１８、サーボ制御回路９および表示装置１４等に電力を供給するようにされている。
【０１０６】
前記表示装置１４は、例えばディスク再生装置本体にあっても、外部のリモートコントロール装置などにあっても良く、さらに、片方だけに限ることなく両方にあっても良く、また表示装置１４自体は、ＬＣＤで文字や絵等の表示、ＬＥＤ等での色の表現で動作状態を表示しても良い。
【０１０７】
次に、本実施形態におけるディスク再生装置１００によるＭＤの判別操作について説明する。
【０１０８】
上述した構成において、ＭＤとして高反射、低反射の２種類あるディスクの判別を行う。
【０１０９】
図１に示すように、ディスク１の種類を判別するためのビームが光源２から照射され、その戻り光を受光手段３によって受光後ＲＦアンプ５へ出力される。
【０１１０】
ＲＦアンプ５では、その信号が増幅されて信号処理回路１０へ出力される。信号処理回路１０では、その増幅信号をシステムコントロールマイコン１８に出力する。
【０１１１】
それを受けたシステムコントロールマイコン１８では、比較手段１５により内蔵メモリ１７にあらかじめ設定されているディスク判別閾値とそのピックアップ出力レベルを比較する。
【０１１２】
比較手段１５において、ピックアップ出力レベルがディスク判別閾値よりも大きいと判断された場合、判別手段１６において、反射率が大きいと判断され高反射ディスクであると判別される。一方、ピックアップ出力レベルがディスク判別閾値よりも小さいと判断された場合、判別手段１６において、反射率が低いと判断され低反射ディスクと判別される。
【０１１３】
それを受けてシステムコントロールマイコン１８は、載置されたディスク１が低反射ディスクと判別された場合は、ＲＦアンプ５や信号処理回路１０の増幅率を高い方に設定する。一方、高反射ディスクと判別された場合は、ＲＦアンプ５や信号処理回路１０の増幅率を低い方に設定する。
【０１１４】
次に、本実施形態に係るディスク再生装置のディスク判別におけるディスク判別閾値が自動的に再設定される行程をフローチャートに沿って説明する。
【０１１５】
図２は本実施形態に係るディスク再生装置におけるピックアップ出力レベルを判別するまでの行程を示すフローチャート、図３は前記ディスク再生装置におけるピックアップ出力レベルが大と判別された場合のフローチャート、図４は前記ディスク再生装置におけるピックアップ出力レベルが小と判別された場合のフローチャートである。
【０１１６】
通常、ディスクを判別するためのディスク判別閾値は、生産ライン上にて自動調整を行い、ピックアップ４とＲＦアンプ５や信号処理回路１０とのマッチングをとっている。本実施形態に係るディスク判別方法は、この際に同時にピックアップ出力レベルを判別しディスク判別閾値を再設定する方法である。
【０１１７】
まず、反射率があらかじめ判っているディスクを使用し、通常のピックアップ４を使用した場合にどのあたりの出力レベルなのかを設定するのが所定のピックアップ出力範囲である。つまり、殆どのピックアップは、反射率がわかっているディスクを使用した場合に、ピックアップ出力レベルは所定のピックアップ出力範囲の中に入るということである。
【０１１８】
反射率が分っているディスクを使用してディスク判別閾値の自動調整を行う場合は、図２に示すように、まず、光源２よりビームを照射するとともにピックアップ４を上下させ（Ｓ１）、その時に戻ってくる戻り光のピックアップ出力を受光手段３により測定する（Ｓ２）、測定されたピックアップ出力レベルは、システムコントロールマイコン１８の比較手段１５において内蔵メモリ１７内の所定のピックアップ出力範囲と比較されるとともに該内蔵メモリ１７内に格納される（Ｓ３）。
【０１１９】
ピックアップ出力レベルの測定回数は、図示しないカウンタによりカウントされる（Ｓ４）。ピックアップ出力レベルの測定回数が規定回数に達するまで、上述した測定操作が繰り返される（Ｓ５）。
【０１２０】
ピックアップ出力レベルの測定回数が規定回数に達すると、システムコントロールマイコン１８にてピックアップ出力レベルの平均値が求められる（Ｓ６）。
【０１２１】
そして、Ｓ７、Ｓ８において、そのピックアップ出力レベルとピックアップ出力範囲とを比較した結果、ピックアップ出力レベルが所定範囲内にあれば、判別手段１６において、通常のピックアップと判別されディスク判別閾値は変更されない（Ｓ９）。
【０１２２】
ピックアップ出力レベルが所定のピックアップ出力範囲より大きい場合は、ステップＡに進み、下記式（ａ）によりディスク判別閾値に反映される（Ｓ７）。
【０１２３】
一方、ピックアップ出力レベルがピックアップ所定範囲より小さい場合は、ステップＢに進み、下記式（ｂ）によりディスク判別閾値に反映される（Ｓ８）。
【０１２４】
初期のディスク判別閾値・・・Ｄｔｏ
再設定後のディスク判別閾値・・・Ｄｔｎ
ピックアップ出力レベル・・・Ｏｐ
所定のピックアップ出力範囲上限値・・・Ｓｕ
所定のピックアップ出力範囲下限値・・・Ｓｄ
とすると、
（ピックアップ出力大の場合）
Ｄｔｎ＝Ｄｔｏ＋（Ｏｐ−Ｓｕ）・・・式（ａ）
（ピックアップ出力小の場合）
Ｄｔｎ＝Ｄｔｏ−（Ｓｄ−Ｏｐ）・・・式（ｂ）
ステップＡにおいては、図３に示すように、ピックアップ出力レベルＯｐと所定のピックアップ出力範囲上限値Ｓｕの差Ｋａが求められ（Ｓ１１）、初期のディスク判別閾値ＤｔｏにＳ１１で求められた差Ｋａを加えたものを新たなディスク判別閾値Ｄｔｎとして設定して（Ｓ１２）、次のステップに進む。
【０１２５】
ステップＢにおいては、図４に示すように、ピックアップ出力レベルＯｐと所定のピックアップ出力範囲下限値Ｓｄの差Ｋｂが求められ（Ｓ２１）、初期のディスク判別閾値ＤｔｏにＳ２１で求められた差Ｋｂを減じたものを新たなディスク判別閾値Ｄｔｎとして設定して（Ｓ２２）、次のステップに進む。
【０１２６】
ここで、本実施形態によるディスク判別に用いられるピックアップ出力レベルと所定の通常ピックアップ出力範囲との関係について図面を参照して説明する。
【０１２７】
図５の（ａ）は本実施形態に係るディスク再生装置における所定の通常ピックアップ出力範囲と出力小のピックアップ出力の関係を示す説明図、（ｂ）はディスク判別閾値への反映方法を示す説明図、図６の（ａ）は前記ディスク再生装置における所定の通常ピックアップ出力範囲と出力大のピックアップ出力の関係を示す説明図、（ｂ）はディスク判別閾値への反映方法を示す説明図である。
【０１２８】
本実施形態において、ピックアップ出力レベルが所定のピックアップ出力範囲よりも小さい場合、ピックアップ出力レベルは、図５の（ａ）に示すように、所定の通常ピックアップ出力範囲の下限値よりもＳｄ−Ｏｐだけ小さい値となる。したがって、設定後のディスク判別閾値Ｄｔｎは、（ｂ）に示すように、初期のディスク判別閾値ＤｔｏよりもＳｄ−Ｏｐだけ小さい値に自動設定される。
【０１２９】
一方、ピックアップ出力レベルが所定の通常ピックアップ出力範囲よりも大きい場合、ピックアップ出力レベルは、図６の（ａ）に示すように、所定の通常ピックアップ出力範囲の上限値よりもＯｐ−Ｓｕだけ大きい値となる。したがって、設定後のディスク判別閾値Ｄｔｎは、（ｂ）に示すように、初期のディスク判別閾値ＤｔｏよりもＯｐ−Ｓｕだけ大きい値に自動設定される。
【０１３０】
以上のように構成したので、本実施形態によれば、ピックアップ出力の大小に係わらずそのピックアップ出力レベルに応じたディスク判別閾値の自動的な再設定が可能となるので、ピックアップ出力にばらつきが生じた場合であってもディスク判別を誤る危険性を非常に少なくすることができる。
【０１３１】
尚、本実施形態においては、ピックアップ４のピックアップ出力レベルが所定のピックアップ出力範囲から大きいか小さいかを判断し、それがどれ位の差かを算出してディスク判別閾値を再設定するようにしているが、本発明はこれに限定されるものではない。
【０１３２】
例えば、その他の例として、ピックアップ出力レベルが所定のピックアップ出力範囲からどのように外れているか、または、大きいか小さいか、或いはどれぐらい離れているかを判断して、その結果に応じて予め設定しておいた値を加減することによって、所定のディスク判別閾値に反映するようにしたものであってもよい。このような構成によれば、より簡単にディスク判別閾値を再設置できるとともに、本実施形態と同様な効果を奏し得る。
【０１３３】
また、本実施形態においては、ピックアップ４のピックアップ出力レベルを所定のピックアップ出力範囲と比較しているが、ピックアップ出力判別閾値を設けて、これとピックアップ出力レベルを比較するようにしたものであっても良い。このような構成によれば、本実施形態と同様な効果を奏し得る。
【０１３４】
さらに、本実施形態においては、複数回のピックアップ出力レベルを測定してその平均値をピックアップ出力レベルの値としているが、平均値を計算する際に、複数回の測定結果のうち最大値と最小値を除いたその他の値の平均値をとるようにしたものであっても良い。このように構成することで、より正確なピックアップ出力レベルを得ることができるので、さらに精度の良いディスク判別を行うことができる。
【０１３５】
また、ピックアップ出力レベルを測定する際に、一回測定した結果をそのピックアップレベルとして適用することも可能である。
【０１３６】
さらに、本実施形態は、１種類のディスクに対して判別を行うものであるが、本発明は、これに限定されるものではなく、複数の種類のディスクに対しても、それぞれのディスクに対して同様に対応することで、本実施形態と同様な効果を奏し得る。
【図面の簡単な説明】
【０１３７】
【図１】本発明の実施形態に係るディスク再生装置の全体構成を示すブロック図である。
【図２】前記ディスク再生装置におけるピックアップ出力レベルを判別するまでの行程を示すフローチャートである。
【図３】前記ディスク再生装置におけるピックアップ出力レベルが大と判別された場合のフローチャートである。
【図４】前記ディスク再生装置におけるピックアップ出力レベルが小と判別された場合のフローチャートである。
【図５】（ａ）は本実施形態に係るディスク再生装置における所定の通常ピックアップ出力範囲と出力小のピックアップ出力の関係を示す説明図、（ｂ）はディスク判別閾値への反映方法を示す説明図である。
【図６】（ａ）は前記ディスク再生装置における所定の通常ピックアップ出力範囲と出力大のピックアップ出力の関係を示す説明図、（ｂ）はディスク判別閾値への反映方法を示す説明図である。
【符号の説明】
【０１３８】
１  ディスク
２  光源
３  受光手段
４  ピックアップ
５  ＲＦアンプ
６  ショックプルーフメモリ
７  スピンドルモータ
８  スライドモータ
９  サーボ制御回路
１０  信号処理回路
１１  コンバータ
１２  ドライバ回路
１３  電源回路
１４  表示装置
１５  比較手段
１６  判別手段
１７  内蔵メモリ
１８  システムコントロールマイコン
１９  入力装置
１００  ディスク再生装置
【図１】
2005092959.tif 000003
【図２】
2005092959.tif 000004
【図３】
2005092959.tif 000005
【図４】
2005092959.tif 000006
【図５】
2005092959.tif 000007
【図６】
2005092959.tif 000008